(57)【要約】【課題】高い位置に据付けられ見上げた場合や低い位置に据付けられ見下ろした場合等、一体型空気調和機の据付け状態に応じて、吸込みグリルを上下逆に取付けることで熱交換器が見えないようにする。また、吸込みグリルの開閉時に半開した状態で吸込みグリルが固定できるようにする。【解決手段】外向きの軸を有する吸込みグリルと幅が徐々に狭くなっていく構造である軸ガイド及び軸受け傾斜面を上下逆取付け用に設けた化粧枠とする。また、引掛けを設けた吸込みグリルとストッパーを設けた化粧枠とする。【選択図】　図３
2004108709.tif 000002
【特許請求の範囲】
【請求項１】
空気の吸込み口及び吹出し口を備えるとともに吸込み口とその吸込み口の後方にある熱交換器との間にフィルターを着脱可能に装着して成る化粧カバーで前面を覆った一体型空気調和機に於いて、化粧カバーを、外形及び吹出し口さらにグリル取付け用軸受けを形成する化粧枠と複数本の傾斜させた横格子を有する吸込み口を形成する吸込みグリルとに分割し、複数本の傾斜させた横格子を有する吸込み口を形成する吸込みグリルを備えることにより熱交換器を見えないようにその前方が覆われた一体型空気調和機。
【請求項２】
上記請求項１において据付け状態に応じて、やや下方より見上げた場合、やや上方より見下ろした場合の両方で熱交換器が見えないようにその前方を覆うため、上下逆に取付け可能で、着脱が容易である吸込みグリルを備えた一体型空気調和機。
【請求項３】
上記請求項２における上下逆取付けを可能とするため、吸込みグリルの側面に化粧枠を引掛けるための外向きの軸を有する吸込みグリルと化粧枠上側に幅が徐々に狭くなっていく構造である軸ガイドと軸受け傾斜面と化粧枠下側に当軸をひっかける長穴型下部軸受けを有する化粧枠を備えた一体型空気調和機でどの向きに吸込みグリルを取付けても吸込みグリルの取外しといった着脱作業が容易に行えることを特徴とした一体型空気調和機。
【請求項４】
上記請求項３における吸込みグリルは上下どちらに取付けた場合でも化粧枠にストッパーや適当な長さの長穴を設けて全開する途中の半開した状態で止まることを特徴とした一体型空気調和機。
【発明の詳細な説明】
【０００１】
【発明の属する技術分野】
本発明は一体型空気調和機に係り、特に外観を良くさせ、さらに吸込みグリルの着脱、フィルターの着脱といった作業性、取扱性の良好な化粧カバーを備えた一体型空気調和機に関する。
【０００２】
【従来の技術】
たとえば、特許文献１に記載されるように吸込みグリルを構成している複数本の横格子を空気吸込方向に対し上向きに傾斜させ、この横格子は、据付けた空気調和機をやや下方向より見上げた場合に熱交換器が見えないようにする構造を使用していた。
【０００３】
また、従来の吸込みグリルの構造についての技術ではグリル取付け用の軸が内側を向いており、軸受けへの軸の挿入をスムーズにするための幅が徐々に狭くなっていく構造である軸ガイド及び軸受け傾斜面を備えてない化粧枠であった。詳しくは図６による。図６は従来のグリル取付け時、化粧カバーの要部上部断面図である。
【０００４】
従来の吸込みグリル５は軸５ａが内側を向いて設けられており、図５の幅が徐々に狭くなっていく構造である軸ガイド１１や軸受け傾斜面１２は設けられていない。このため、吸込みグリル５の取付け時には軸５ａが軸受け１０までスムーズに移動せず、従来品は本発明とは異なり取付け時においてもＭ方向に力を加えて軸支持板５ｃを広げるようにしならせながら、吸込みグリル５と取付けなければならないので作業が困難だった。
【０００５】
吸込みグリル５の取外し時においては軸支持板５ｃにＭ方向への力を加えながら、軸支持板５ｃを広げるように両手で吸込みグリル５を支えながら、図面上右方向へ引抜くように取外さなければならない。この取外し作業も取付け同様に困難であった。従来の着脱作業は化粧カバー２をキャビネット１から分離させ、化粧枠７の裏から軸支持板５ｃにＭ方向への力を加え、軸支持板５ｃを広げるようにしならせて化粧枠７から吸込みグリル５を取外していたので不便だった。
【０００６】
また、ストッパーや長穴型下部軸受けが設けられていなかったので全開する途中の半開した状態で吸込みグリルが固定されなかった。
【０００７】
【特許文献１】
特開平７−３１０９３４号公報
【０００８】
【発明が解決しようとする課題】
吸込みグリルの横格子を空気の吸込み方向に対して上向きに傾斜させているため、空気調和機を壁面等に据付けた状態で正面に見て高い位置に据付けられた場合、一体型空気調和機がやや下方より見上げた状態に据付けられた時に熱交換器のアルミ地色が吸込みグリルの横格子の隙間からフィルターを透して見えてしまうことはない。しかし、正面に見て低い位置に据付けられた場合、やや上方より見下ろした状態に据付けられた時に熱交換器のアルミ地色が吸込みグリルの横格子の隙間からフィルターを透かして見えてしまい外観を損ない、顧客に不快感を与えてしまう。そして、正面に見て低い位置に据付けられている場合、一体型空気調和機のフィルターの着脱操作が円滑に行なえないというの欠点を伴った。さらに一度据付けてしまうと吸込みグリルが外せず、吸込みグリルの清掃に問題があった。また、吸込みグリルを全開する途中の半開した状態で固定できないのでフィルター着脱作業が困難であった。
【０００９】
【課題を解決するための手段】
化粧カバーを、外形及び吹出し口を形成する化粧枠と吸込み口を形成する吸込みグリルとに分割し、吸込みグリルを構成している複数本の横格子を、空気の吸込み方向に対し上向きに傾斜させる。一体型空気調和機をやや下方より見上げる位置に据付けた場合には傾斜させた複数本の横格子に覆われ熱交換器が見えないようになる。一体型空気調和機をやや上方向より見下ろす位置に据付けた場合には吸込みグリルの横格子を空気の吸込み方向に対して下向きに傾斜させる。この吸込みグリルの上下取付け作業を可能にするため化粧枠には上下取付け用に上部と下部でそれぞれ軸をを支持するための軸受けを１組ずつ設け、軸受けへ軸の挿入をスムーズにするための幅が徐々に狭くなっていく構造である軸ガイドと軸受け傾斜面を上下取付け用に１組ずつ設け、吸込みグリルの着脱を可能とさせるための外向きの軸を吸込みグリルに設けることにより課題を達成する。また、フィルター着脱時の吸込みグリル開閉についてはストッパーと長穴型下部軸受けを設けることで全開する途中の半開した状態で吸込みグリルを固定できる構造とし課題を達成する。
【００１０】
【発明の実施の形態】
本発明に関する詳細を図１〜６により説明する。
【００１１】
まず、図１により本発明の一実施例の構成を説明する。
【００１２】
本発明の一体型空気調和機はキャビネット１と化粧カバー２により外観を成す。特に本発明の一体型空気調和機は吸込み口３と吹出し口４を備えている。化粧カバー２は吸込み口３を有する吸込みグリル５と吹出し口４を有する化粧枠７に分離できる。本発明は吸込み口３を有する吸込みグリル５が正面の化粧カバー２の外観を変えないで上下逆の取付けを可能としたものである。
【００１３】
図２は本発明の一実施例であり、化粧カバー付近の側面図である。
【００１４】
本発明の化粧カバー２は化粧枠７と吸込みグリル５に分離でき、化粧枠７と吸込みグリル５の間にはフィルター６を装着する。本発明の一体型空気調和機は吸込みグリル５とフィルター６を取外すと吸込み口３の後方にはベース８に配置された熱交換器９がある。また、やや上方向から見下ろした場合には吸込みグリル５は横格子５ｂを空気の吸込み方向に対して下向きにして使用するので吸込みグリル５は図２とは上下逆で使用する。その時フィルター６も上下逆で使用する。軸５ａは上部軸受け１０ａに挿入された場合、引掛け５ｄは吸込みグリル５が半開時に化粧枠７の上側に設けられたストッパー１３に引掛る。
【００１５】
図３は本発明の吸込みグリル５を上部軸受けで支持する状態を示した化粧カバーの要部横断面図である。図３Ａ−Ａ断面は上部軸受け１０ａ付近の断面図で周辺の上部軸ガイド１１ａ、上部軸受け傾斜面１２ａの詳細を示す。
【００１６】
本発明の一体型空気調和機は図３及び図３Ａ−Ａ断面の如く上部軸ガイド１１ａと上部軸受け傾斜面１２ａを備えた化粧枠７を持つことを特徴としている。
【００１７】
図３は軸５ａが上部軸受け１０ａに挿入された状態である。軸５ａは円柱形で上部軸受け１０ａは円柱形にくり向かれた形であるため化粧枠７と吸込みグリル５は軸５ａを上部軸受け１０ａに挿入した後、軸５ａを支点に回転することを利用して吸込みグリル５が開閉できる。その時の吸込みグリル５の開閉動作は図３の如くＹ方向への開閉となる。吸込みグリル５の取付け作業においては上部軸受け１０ａに軸５ａを挿入する際に幅が徐々に狭まくなっていく構造である上部軸ガイド１１ａにより軸５ａは上部軸受け１０ａまで容易に導かれる。上部軸受け傾斜面１２ａは上部軸ガイド１１ａ間に設けられ、その上部軸受け傾斜面１２ａにより、力を加えなくても軸支持板５ｃがしなり、軸５ａが軸受け１０ａまで導かれる。このため、軸５ａは上部軸受け１０ａの位置確認しながら挿入しなくても良い。図３のように吸込みグリル５の軸５ａを上部軸受け１０ａで支持する状態は本発明の一体型空気調和機を高い位置に据付けた場合である。図３中においてフィルター６を右下方向に引き抜く作業はやや下方向から見上げた状態から作業するうえで容易である。そして、吸込みグリル５を閉じた時はやや下方向より見上げた場合に熱交換器９が見えないようになる。また、引掛け５ｄは化粧枠７の上側に設けられたストッパー１３によって引掛けられるため全開の途中の半開した状態で吸込みグリル５を固定することができ、フィルター６の着脱作業が容易になる。
【００１８】
図４は本発明の吸込みグリルを下部軸受けで支持する状態を示した化粧カバーの要部横断面図である。図４Ｂ−Ｂ断面は長穴型下部軸受け１０ｂの断面図で周辺の下部軸ガイド１１ｂ、下部軸受け傾斜面１２ｂの詳細を示す。
【００１９】
本発明の一体型空気調和機は図４及び図４Ｂ−Ｂ断面の如く長穴型下部軸受け１０ｂ、下部軸ガイド１１ｂと下部軸受け傾斜面１２ｂを備えた化粧枠７を持つことを特徴としている。図４は軸５ａが長穴型下部軸受け１０ｂに挿入された状態である。長穴型下部軸受け１０ｂは軸５ａが挿入されてからある一定の径で円弧上に移動できるようにくり向かれた長穴になっているため化粧枠７と吸込みグリル５は軸５ａを下部軸受け１０ｂに挿入した後、長穴型下部軸受け１０ｂは軸５ａが挿入後に移動できる構造で、軸５ａが円弧上の移動が可能であるため、図中Ｐ部で吸込みグリル５が化粧枠７に接触しても接触した所を支点に吸込みグリル５を回転させることが可能となり開閉ができる。この時、吸込みグリル５の開閉動作は図４の如くＺ方向への開閉となり、吸込みグリル５は半開きの状態で全開となる。吸込みグリル５の取付け作業では長穴型下部軸受け１０ｂに軸５ａを挿入する際に幅が徐々に狭くなっていく構造である下部軸ガイド１１ｂであるため、軸５ａは長穴型下部軸受け１０ｂまで容易に導かれる。下部軸受け傾斜面１２ｂは下部軸ガイド１１ｂ間に設けられ、その下部軸受け傾斜面１２ｂがあるため、力を加えなくても軸支持板５ｃがしなり、軸５ａは下部軸受け１０ｂまで容易に導かれる。
【００２０】
吸込みグリル５の軸５ａを下部軸受け１０ｂで支持する状態は本発明の一体型空気調和機を低い位置に据付けた場合である。図４においてフィルター６を右上方向に引抜く作業はやや上方から見下ろした状態において容易である。そして、吸込みグリル５を閉じた時はやや上方向より見下ろした場合に熱交換器９が見えないようになる。
【００２１】
図５は本発明のグリル取付け時、化粧カバーの要部上部断面図である。
【００２２】
本発明の一体型空気調和機の吸込みグリル５取付け時には、幅が徐々に狭くなっていく構造である軸ガイド１１が軸５ａを軸受け１０まで導き、軸受け傾斜面１１があるため力を加えて軸支持板５ｃをしならせなくとも軸支持板５ｃがＬ方向に狭まるようにしなり、吸込みグリル５を支えた状態で図面上左方向に押すだけで軸受け傾斜面１１によって軸支持板５ｃがＬ方向に狭まるようにしなりながら移動し、軸５ａが軸受け１０に挿入されるため吸込みグリル５の装着が容易になる。
【００２３】
吸込みグリル５の取外し時には、軸５ａを支点に吸込みグリル５を回転させるように開き、吸込みグリル５の上下中央部を両手で支えて、軽く引抜くことで軸支持板５ｃ及び吸込みグリル５の全体が図中左右方向に対して軸支持板５ｃがＬ方向に狭まるようにしなるため、複雑な作業は必要なく化粧枠７と分離することが容易にできる。これら幅が徐々に狭くなっていく構造である軸ガイド１１と軸受け傾斜面１２により吸込みグリル５の着脱の作業性が従来に比べて容易になる。
【００２４】
【発明の効果】
本発明によれば、外向きの軸を有する吸込みグリルと幅が徐々に狭くなっていく構造である軸ガイド及び軸受け傾斜面を上下逆取付け用に設けた化粧枠に傾斜させた横格子を有した吸込みグリルを上下逆にそれぞれ取付けた場合、正面に見て下方向から見上げても上方向から見下ろしても熱交換器が見えないようになる。また、フィルターの着脱操作が容易でき、外向きの軸を有する吸込みグリルと幅が徐々に狭くなっていく構造である軸ガイド及び軸受け傾斜面を上下逆取付け用に設けた化粧枠であるため、キャビネットから化粧カバーを取り外すこと無く、化粧枠から吸込みグリルの容易な着脱が可能となる。また、引掛けを備えた吸込みグリルとストッパーと長穴型下部軸受けを備えた化粧枠とすることにより、吸込みグリルを半開の状態で固定できるため、フィルターの着脱作業が円滑に行える。
【図面の簡単な説明】
【図１】本発明の一実施例を示す一体型空気調和機の外観図。
【図２】本発明の一実施例を示す一体型空気調和機の側面図。
【図３】本発明の上部軸受けに吸込みグリル取付けた時の化粧枠の要部横断面図。
【図４】本発明の下部軸受けに吸込みグリル取付けた時の化粧枠の要部横断面図。
【図５】本発明の上部軸受けに吸込みグリル取付けた時の化粧枠の要部上部断面図。
【図６】従来品の軸受けに吸込みグリル取付けた時の化粧枠の要部上部断面図。
【符号の説明】
１…キャビネット、２…化粧カバー、３…吸込み口、４…吹出し口、５…吸込みグリル、５ａ…軸、５ｂ…横格子、５ｃ…軸支持板、５ｄ…引掛け、６…フィルター、７…化粧枠、８…ベース、９…熱交換器、１０…軸受け、１０ａ…上部軸受け、１０ｂ…長穴型下部軸受け、１１…軸ガイド、１１ａ…上部軸ガイド、１１ｂ…下部軸ガイド、１２…軸受け傾斜面、１２ａ…上部軸受け傾斜面、１２ｂ…下部軸受け傾斜面、１３…ストッパー。
【図１】
2004108709.tif 000003
【図２】
2004108709.tif 000004
【図３】
2004108709.tif 000005
【図４】
2004108709.tif 000006
【図５】
2004108709.tif 000007
【図６】
2004108709.tif 000008